(57)【特許請求の範囲】
【請求項１】
長尺な畦シートの長手方向の端部が取り付けられ、取り付けられた該畦シートを巻き取る巻取部と、
前記巻取部を回転させる動力機とを備え、
前記巻取部が、
巻き取る前記畦シートの幅方向に延在し、該畦シートが巻回される巻取芯と、
前記巻取芯の延在方向における一方側部分に、他方側にスライド可能に取り付けられ、巻き取った前記畦シートの、前記幅方向における該一方側の端部分が接触して該畦シートの位置を揃える鍔状の規制板とを有するものであり、
さらに、
前記畦シートのうち、前記巻取部に巻き取られる未巻回部分に洗浄液を吐出する洗浄部と、
前記未巻回部分のうちの、前記洗浄部から前記洗浄液が吐出される位置を通過した前記幅方向全域部分を、該幅方向の一端側から他端側に向けて下方へ傾斜させる傾斜部材とを備えたことを特徴とする畦シートの巻取装置。
【請求項２】
前記規制板に当接し、該規制板を前記他方側にスライドさせるアーム部を備えたことを特徴とする請求項１記載の畦シートの巻取装置。
【請求項３】
前記未巻回部分のおもて面側となる位置に、前記幅方向にわたって配置され、該未巻回部分が該おもて面側に外れることを規制するおもて側規制部材を備え、
前記おもて側規制部材が、前記幅方向において下方へ傾斜し、前記傾斜部材として機能するものであることを特徴とする請求項１又は２記載の畦シートの巻取装置。
【請求項４】
前記未巻回部分の裏面側となる位置に、前記幅方向にわたって配置され、該未巻回部分が該裏面側に外れることを規制する裏側規制部材を備え、
前記裏側規制部材が、前記幅方向において下方へ傾斜し、前記傾斜部材として機能するものであることを特徴とする請求項１から３のうちいずれか１項記載の畦シートの巻取装置。
【請求項５】
前記洗浄部は、前記洗浄液を前記一端側から前記他端側に向けて吐出するものであることを特徴とする請求項１から４のうちいずれか１項記載の畦シートの巻取装置。
【請求項６】
前記洗浄部は、前記洗浄液を前記未巻回部分のうちの前記幅方向中央部分に吐出するものであることを特徴とする請求項１から５のうちいずれか１項記載の畦シートの巻取装置。
【発明の詳細な説明】
【技術分野】
【０００１】
本発明は、水田に使用する畦シートをロール状に巻き取る畦シートの巻取装置に関する。
【背景技術】
【０００２】
水稲栽培では、水田に水を湛えることが重要であり、畦による止水機能を補強する目的や小動物が開ける穴からの水漏れを防止するために畦シートを埋設する場合が多い。この畦シートは、水稲の栽培が終わると掘り上げ、翌年の再使用のためにロール状に巻き取って保管されるのが一般的であるが、畦シートは、長いものでは２０ｍ〜５０ｍもの長さがあり、人手で巻き取るのは多大な労力を要する。さらに、ロール状に巻き取られた畦シートの巻き取りが緩い場合には、持ち上げた際等にロール状の状態が崩れてしまう場合がある。このため、一定の強さで締めながら巻き取る必要があり、そのために相当な腕力を使うことも作業者の負担になっている。このような状況を改善するため、畦シートを巻き取る労力を軽減しようと試みた畦シートの巻取装置が知られている（例えば、特許文献１〜３等参照）。
【０００３】
特許文献１〜３に記載された畦シートの巻取装置は、畦シートを巻き取る巻取部と、この巻取部に取り付けられた、クランクハンドル又は同様の機能を有するハンドルを備えている。これらの巻取装置を使用する作業者は、畦シートの長手方向の一端を巻取部に取り付け、ハンドルを回すことで巻取部に畦シートを巻き取ることができる。こうすることで、人手だけで巻き取る場合に比べて畦シートを巻き取る労力を軽減しようとするものである。
【先行技術文献】
【特許文献】
【０００４】
【特許文献１】特開平１０−２３１０６３号公報
【特許文献２】特開２００４−４３１３７号公報
【特許文献３】実用新案登録第３１３８１０３号公報
【発明の概要】
【発明が解決しようとする課題】
【０００５】
しかしながら、大量の畦シートを巻き取らなければならない場合もあり、特許文献１〜３に記載された畦シートの巻取装置では、ハンドルを回す動作といえども依然として作業者の負担が大きい。特に、持ち上げた際等にロール状の状態が崩れてしまわないよう締めながら巻き取る作業は、やはり相応の腕力が必要になるため、作業の労力を軽減するためのさらなる改善が望まれている。
【０００６】
本発明は上記事情に鑑み、作業の労力を大幅に軽減することができる畦シートの巻取装置を提供することを目的とする。
【課題を解決するための手段】
【０００７】
上記目的を解決する本発明の畦シートの巻取装置は、
長尺な畦シートの長手方向の端部が取り付けられ、取り付けられた該畦シートを巻き取る巻取部と、
前記巻取部を回転させる動力機とを備え、
前記巻取部が、
巻き取る前記畦シートの幅方向に延在し、該畦シートが巻回される巻取芯と、
前記巻取芯の延在方向における一方側部分に、他方側にスライド可能に取り付けられ、巻き取った前記畦シートの、前記幅方向における該一方側の端部分が接触して該畦シートの位置を揃える鍔状の規制板とを有するものであり、
さらに、
前記畦シートのうち、前記巻取部に巻き取られる未巻回部分に洗浄液を吐出する洗浄部と、
前記未巻回部分のうちの、前記洗浄部から前記洗浄液が吐出される位置を通過した前記幅方向全域部分を、該幅方向の一端側から他端側に向けて下方へ傾斜させる傾斜部材とを備えたことを特徴とする。
また、長尺な畦シートの長手方向の一端が取り付けられ、取り付けられた該畦シートを巻き取る巻取部と、前記巻取部を回転させる動力機とを備えたことを特徴とする畦シートの巻取装置であってもよい。
【０００８】
ここで、前記動力機は、電動モータであってもよいし、減速機を有し、回転速度が可変なものであってもよい。また、前記畦シートの巻き取りが完了したことを検出する検出手段と、該検出手段によって該畦シートの巻き取りが完了したことが検出されると、前記動力機の駆動を停止させる制御手段とを設けてもよい。さらに、前記巻取部は、前記長手方向に波状に連続する形状の畦シートを巻き取るものであってもよい。
上記の畦シートの巻取装置によれば、前記巻取部を回転させる動力機を備えているため、畦シートを巻き取るために作業者がハンドルを回転させる必要もなくなり、作業の労力を大幅に軽減することができる。さらに、例えば、畦シートを軽く引っ張ることで、前記動力機によって回転する前記巻取部に畦シートを締めながら巻き取ることができる。これにより、持ち上げた際等にロール状の状態が崩れないように畦シートを巻き取ることも容易になる。
【０００９】
上記の畦シートの巻取装置において、前記巻取部が、巻き取る前記畦シートの幅方向に延在し、該畦シートが巻回される巻取芯と、前記巻取芯の延在方向における一方側部分に取り付けられ、巻き取った前記畦シートの幅方向における一端部分が接触して該畦シートの位置を揃える鍔状の規制板とを有し、前記規制板が、前記巻取芯の延在方向における他方側にスライド可能なものであることが好ましい。
【００１０】
ここで、前記巻取芯は、前記長手方向に波状に連続する形状の畦シートにおける長手方向の一端を挟み込み、該畦シートの該一端を係止する係止部を有するものであってもよく、該係止部としては、前記延在方向に延在したスリットであってもよいし、２本の棒を鳥の嘴状に配置したものであってもよい。また、前記巻取芯の延在方向における他方側部分に、第２規制板を着脱可能に設けてもよい。
【００１１】
前記規制板を有する態様を採用すれば、該規制板を該他方側にスライドさせることで、前記巻取芯に巻回された前記畦シートを該巻取芯から容易に取り外すことができる。
【００１２】
また、上記の畦シートの巻取装置において、前記規制板に当接し、該規制板を前記他方側にスライドさせるアーム部を備えた態様も好ましい態様の一つである。
【００１３】
さらに、上記の畦シートの巻取装置において、前記巻取部に巻き取られる畦シートの前記一端側を下流側とし、他端側を上流側とした場合に、前記巻取部よりも上流側から該巻取部につながり、前記畦シートのうち、該巻取部に巻き取られる未巻回部分が通過する通過領域と、前記通過領域における、前記畦シートのおもて面側に、該畦シートの幅方向にわたって配置され、前記未巻回部分が該おもて面側に外れることを規制するおもて側規制部材とを有するものであってもよい。
【００１４】
ここで、前記おもて側規制部材は、前記幅方向に延在したものであってもよいし、該幅方向に間隔をあけて配置された複数の部材からなるものであってもよい。
【００１５】
前記おもて側規制部材を有する態様を採用すれば、前記畦シートのうち、前記通過領域を通過する前記未巻回部分が前記おもて面側に外れてしまうことを効果的に抑えることができる。
【００１６】
またさらに、上記の畦シートの巻取装置において、前記おもて側規制部材に加え、前記通過領域における、前記畦シートの裏面側に、該畦シートの幅方向にわたって配置され、前記未巻回部分が該裏面側に外れることを規制する裏側規制部材を有するものであってもよい。
【００１７】
ここで、前記おもて側規制部材と前記裏側規制部材は、前記長手方向におけるずれた位置に配置されたものであってもよい。また、前記おもて側規制部材と前記裏側規制部材は、前記未巻回部分が接触することで、前記巻取部に巻き取られている前記畦シートに、前記上流側に向けての張力を付与するものであってもよい。
【００１８】
さらに、前記おもて側規制部材は、回転自在な上流おもて側ローラと、該上流おもて側ローラから下流側に離れた位置に配置され回転自在な下流おもて側ローラとを備えたものであり、
前記裏側規制部材が、前記上流おもて側ローラと前記下流おもて側ローラとの間に配置された回転自在な裏側ローラであってもよい。ここで、前記上流おもて側ローラ、前記下流おもて側ローラ、および前記裏側ローラはいずれも、前記未巻回部分が接触すると回転する従動ローラである。すなわち、前記上流おもて側ローラ、前記下流おもて側ローラ、および前記裏側ローラはいずれも、前記畦シートに前記張力を付与しながら回転するものである。
【００１９】
さらにまた、上記の畦シートの巻取装置において、前記通過領域に向けて洗浄水を吐出する洗浄部を備えたものであることが好ましい。
【００２０】
水田で使用し掘り起こした畦シートには泥土が付着していることが多く、特に波板状に形成された畦シートで顕著である。畦シートに付着した泥土は、畦シートの巻き取りに支障を来す他、畦シートの重量を増し運搬時に余計の労力を要すること、運搬時や保管場所で泥土が落ちて周囲を汚すこと等の不都合があり、従来、畦シートを巻き取る前にヘラやブラシで擦り落としたり、緩くロール状に巻いた畦シートの隙間に高圧洗浄機によって洗浄水を吹きつけ、泥土を洗浄した後でロール状の畦シートを締め直すといった作業が行われていた。
【００２１】
そこで、前記洗浄部を備えた態様とすれば、前記畦シートに付着した泥土を、前記通過領域を通過する際に除去することができる。これにより、泥土を除去した状態で前記畦シートを巻き取ることができ、洗浄後にロール状の畦シートを締め直すといった作業も不要になる。
【００２２】
またさらに、上記の畦シートの巻取装置において、前記洗浄部は、前記未巻回部分のうちの幅方向中央部分が通過する吐出領域に向けて洗浄液を吐出するものであってもよい。
【００２３】
ここで、前記洗浄部は、前記吐出領域の真上からずれた斜めの方向から該吐出領域に向けて洗浄液を吐出するものであってもよい。また、前記巻取部は、前記畦シートの地中に埋設されていた部分が前記吐出領域を通過するように該畦シートが取り付けられたものであってもよい。すなわち、前記巻取部は、地中に埋設されていた部分が前記吐出領域を通過してきた前記畦シートを巻き取るものであってもよい。
【００２４】
前記洗浄部から前記吐出領域に向けて洗浄液を吐出し、前記巻取部に対し、前記畦シートの地中に埋設されていた部分が該吐出領域を通過するように該畦シートを取り付けることで、該畦シートの泥土が付着した部分を効率的に洗浄することができる。
【００２５】
さらにまた、上記の畦シートの巻取装置において、前記巻取部に巻き取られる畦シートのうち、前記通過領域を通過する部分を、該畦シートの幅方向全域にわたって下方に傾斜させる傾斜部材を備えた態様も好ましい態様の一つである。
【００２６】
ここで、前記おもて側規制部材および前記裏側規制部材のうちの少なくとも一方は、前記傾斜部材を兼ねるものであってもよい。また、前記巻取部に巻き取られる畦シートのうち、前記通過領域を通過した部分を、該畦シートの幅方向全域にわたって下方に傾斜させてもよい。
【００２７】
前記傾斜部材を備えた態様を採用すれば、前記畦シートに付着した泥土をより効率的に洗い流すことができる。
【発明の効果】
【００２８】
本発明の畦シートの巻取装置によれば、作業の労力を大幅に軽減することができる。
【図面の簡単な説明】
【００２９】
【図１】（ａ）は、本発明の一実施形態に相当する畦シートの巻取装置を正面から見た図であり、（ｂ）は、（ａ）の平面図である。
【図２】（ａ）は、図１（ａ）に示す畦シートの巻取装置を左側方から見た図であり、（ｂ）は、図１（ａ）に示す畦シートの巻取装置を右側方から見た図である。
【図３】図１および図２に示す、巻取装置の第１変形例について、図２（ａ）と対応した様子を示す図である。
【図４】図１および図２に示す、巻取装置の第２変形例について、畦シートロールを取り外す様子を示す図である。
【図５】（ａ）は、第２実施形態の巻取装置を正面から見た図であり、（ｂ）は、（ａ）の平面図である。
【図６】（ａ）は、おもて側ノズル、裏側ノズル、下流おもて側ローラおよび裏側ローラの好ましい態様を概念的に示す図である。（ｂ）は、吐出領域を説明するための畦シートの部分平面図である。
【発明を実施するための形態】
【００３０】
以下、図面を参照して本発明の実施の形態を説明するが、発明の特徴を変更しない限り、本発明は以下の実施形態に限定されるものではない。本発明の一実施形態である畦シートの巻取装置は、畦による止水機能を補強する目的等のため水田の畦に埋設されていた畦シートを掘り上げ、例えば翌年まで保管するためにロール状に巻き取るものである。以下、ロール状に巻き取った畦シートを畦シートロールと称することがある。
【００３１】
図１（ａ）は、本発明の一実施形態に相当する畦シートの巻取装置１０を正面から見た図であり、同図（ｂ）は、同図（ａ）の平面図である。また、図２（ａ）は、図１（ａ）に示す畦シートの巻取装置１０を左側方から見た図であり、図２（ｂ）は、図１（ａ）に示す畦シートの巻取装置１０を右側方から見た図である。以下、畦シートの巻取装置１０を、単に、巻取装置１０と称することがある。
【００３２】
本発明の巻取装置によって巻き取る畦シートは、例えば、塩化ビニルによって構成された、幅が２０ｃｍ〜６０ｃｍ程度、長さが数ｍ〜５０ｍ程度の長尺状のシートである。この畦シートには、平板状のものや、長手方向に波状に連続する形状の波板状のもの等が用いられている。図１（ａ）および同図（ｂ）では、巻取装置１０に巻き取られる畦シートＳを示している。本実施形態では、図１（ａ）において実線の円で囲んで拡大して示すように、波板状の畦シートＳを巻き取る態様を例に挙げて説明する。この畦シートＳは、例えば、波板高さＨが１ｃｍ程度、波板ピッチＰが３．５ｃｍ程度のものである。
【００３３】
図１（ａ）および同図（ｂ）では、長尺状の畦シートＳが、図の左側から右側に向けて移動し、巻き取られていく。従って、図１（ａ）および同図（ｂ）では、図の左右方向が畦シートの長手方向になり、左側が、畦シートＳの移動における上流側になり、右側が、畦シートＳの移動における下流側になる。また、図１（ａ）では、紙面と直交する方向が、畦シートＳの幅方向になり、図１（ｂ）では、図の上下方向が畦シートＳの幅方向になる。なお、図２（ａ）および同図（ｂ）では、図面を簡略化するため畦シートＳを省略しているが、図２（ａ）および同図（ｂ）では、図の左右方向が畦シートの幅方向になる。以下の説明では、図１（ａ）および同図（ｂ）に示す畦シートＳの長手方向および幅方向を基準として、単に長手方向や幅方向と称して方向を説明する場合がある。
【００３４】
図１および図２に示すように、巻取装置１０は、地面に設置された枠状のフレーム２と、このフレーム２上に設置される２つのローラ３と、同じくフレーム２上に設置される動力部４と、この動力部４に取り付けられた巻取部５とを有している。
【００３５】
巻取部５は、幅方向に延在した巻取芯５１と、この巻取芯５１の延在方向における一方側（図１（ａ）では奥側、同図（ｂ）では上側、図２（ａ）では左側、図２（ｂ）では右側）部分に取付けられた鍔状の規制板５２とを有している。巻取芯５１は、畦シートＳの一端が取り付けられる部分である。
【００３６】
図１（ａ）の二点鎖線の円で囲んだ部分には畦シートＳの一端が取り付けられた巻取芯５１を拡大して示しており、この二点鎖線の円で囲んだ部分や、図１（ｂ）および図２（ｂ）に示すように、巻取芯５１は、丸棒５１１と、この丸棒５１１と僅かな隙間をあけて配置された補助丸棒５１２とを有している。補助丸棒５１２は、丸棒５１１よりも径が細く（例えば、１／３〜１／２程度）、長さが短いものである。
【００３７】
図１（ａ）の二点鎖線の円で囲んで示すように、畦シートＳの一端を丸棒５１１と補助丸棒５１２との間に挿入し、詳しくは後述する電動モータ４２（図２（ａ）参照）を駆動させて巻取芯５１を回転させると、畦シートＳの一端が巻取芯５１に取り付けられた状態で、巻取芯５１に畦シートＳが巻き取られていく。すなわち、本実施形態では、丸棒５１１と補助丸棒５１２が、係止部の一例に相当する。ここで、畦シートＳの一端を丸棒５１１と補助丸棒５１２との間に挿入するには、丸棒５１１と補助丸棒５１２との間に畦シートＳの先端を差し込んでもよいが、他方側から丸棒５１１と補助丸棒５１２との間に畦シートＳの先端を水平にスライドさせて挟み込んでもよい。なお、巻取芯５１の形態は上述した形態に限られるものではなく、畦シートＳの一端を挟み込むためのスリットが延在方向に形成された、円柱形状又は多角柱形状のものであってもよいし、中空のパイプ状のものであってもよい。また、巻取芯５１は、２本の棒によって構成され、先端部分が鳥の嘴状に開いた係止部を備えたものであってもよい。後者の態様では、図１および図２に示す態様と同様に、畦シートＳの一端を２本の棒の間に挟み込み、巻き取り作業を開始すればよい。
【００３８】
規制板５２は、巻取芯５１に巻き取った畦シートＳの幅方向における一端部分が接触し、畦シートＳが幅方向にずれ動かないようにするもの、また、畦シートＳの位置を揃えるものであり、図１（ａ）において一点鎖線で示す畦シートロールＳ’よりも一回り大きな円板状に形成されている。ここで、本実施形態では、規制板５２は、電動モータ４２によって巻取芯５１が回転すると、巻取芯５１と共に回転する態様を採用しているが、巻取芯５１が回転しても巻取芯５１とは独立して回転しない規制板５２を採用することもできる。
【００３９】
動力部４は、箱状のケーシング４１を備えており、このケーシング４１内に、巻取芯５１の他端側部分が挿入されている。図２（ａ）では、ケーシング４１の側板４１１を取り外し、ケーシング４１の内部を示している。
【００４０】
図２（ａ）に示すように、ケーシング４１内には、動力機が収容されている。本実施形態では、運転と停止を容易に繰り返す必要から、動力機には、電動モータ４２を採用している。この電動モータ４２は、回転速度が遅くトルクの強い減速モータ又は減速機付きのモータとすることが好ましく、回転速度が可変のモータとすればなお好ましい。なお、動力機は、電動モータ４２に限らず、エンジンなど回転駆動力を生み出す他の構成も利用することができる。
【００４１】
電動モータ４２の回転軸に取り付けられたモータプーリ４２１と、巻取芯５１の他端側部分に取付けられたプーリ５１３にはベルト４３が架け渡されている。これにより、電動モータ４２を駆動させることで、巻取芯５１を回転させることができる。なお、ベルト４３に代えて、例えば、チェーンや歯車など、一般的に使用されている動力伝達部材を利用することももちろん可能である。ここでも、プーリ径等を適宜調節し、電動モータ４２の回転速度を、畦シートＳの巻き取り作業に適する、巻取芯５１の回転速度に変換することが好ましい。なお、ケーシング４１には、電動モータ４２の運転と停止を切りかえるスイッチ４４が設けられている。また、図２（ｂ）に示すように、ケーシング４１には、ケーシング４１内を確認するための確認用小窓４１２が形成されている。
【００４２】
２つのローラ３，３は、ともに幅方向に延在する姿勢に設けられたものである。また、これら２本のローラ３，３は、後述するように、畦シートＳの未巻回部分が接触すると回転する従動ローラであり、図１（ａ）および同図（ｂ）に示すように、畦シートＳの上方に配置されている。ここで、巻取芯５１よりも上流側から巻取芯５１につながり、畦シートＳのうち、巻取芯５１に巻き取られる未巻回部分が通過する領域が、通過領域に相当する。
【００４３】
図１（ａ）および同図（ｂ）では、畦シートＳの未巻回部分において、上側の面がおもて面に相当し、下側の面が裏面に相当する。したがって、ローラ３，３は、通過領域における、畦シートＳのおもて面側に、畦シートＳの幅方向にわたって配置され、畦シートＳの未巻回部分がおもて面側に外れることを規制するものであり、おもて側規制部材の一例に相当する。ローラ３，３は、畦シートＳにおける、通過領域を通過する巻回部分を押えながら巻取部５１に誘導する機能を有するものである。なお、本実施形態では、複数（本実施形態では２つ）のローラ３を長手方向に一定の間隔をあけて設置しているため、巻き取る畦シートＳの揺れを抑える効果が高くより好ましい。また、ローラ３，３は、組み込まれた不図示のスプリングの圧力を変化させることでトルクを調整し、通過する畦シートＳに対して、上流側に向けての張力を付与することができるものであってもよい。なお、以下の説明では、畦シートＳのおもて面側に配置された２つのローラ３，３のうち、上流側のローラ３を上流おもて側ローラ３１と称し、下流側のローラ３を下流おもて側ローラ３２と称して区別する場合がある。
【００４４】
次いで、図１および図２に示す巻取装置１０によって畦シートＳを巻き取る作業について説明する。初めに、畦シートＳの一端部分を掴み、ローラ３，３の下方を上流側から下流側に向けて通過させる。続いて、図１（ａ）の二点鎖線の円で囲んだ部分を用いて前述したように、畦シートＳの一端部分を、丸棒５１１と補助丸棒５１２との間に挿入し、例えば、畦シートＳの一端部分を少し折り曲げた状態で、スイッチ４４を操作し、図２（ａ）に示す電動モータ４２を駆動させる。これにより、丸棒５１１と補助丸棒５１２を有する巻取芯５１に畦シートＳが巻き取られていき、それにともない畦シートＳの未巻回部分は、上流側から下流側に移動していく。この上流側から下流側に移動していく畦シートＳの未巻回部分は、ローラ３，３によって上方から規制されその暴れが抑えられる。畦シートＳが巻取芯５１に全て巻き取られたら、スイッチ４４を操作し、電動モータ４２の駆動を停止する。なお、畦シートＳを巻き取る際には、巻取芯５１に巻き取った畦シートＳが水平方向にずれていかないように手で押さえてもよい。図１の一点鎖線で示すように、畦シートＳがロール状に巻き取られたら、このロール状に巻き取られた畦シートロールＳ’を巻取芯５１から他方側に取り外すことで作業が完了する。なお、畦シートロールＳ’の巻き締めが緩い場合は、巻取芯５１から取り外す前に、畦シートＳの他端を手で引っ張ることで締めることもできる。
【００４５】
本発明では、電動モータ４２によって巻取芯５１を回転させるため、畦シートＳを巻き取るために作業者がハンドルを回転させる必要もなく、作業の労力を大幅に軽減することができる。また、電動モータ４２によって巻取芯５１を回転させることによって、畦シートロールＳ’を巻取芯５１から取り外す際等にロール状の状態が崩れないように、畦シートＳを締めながら巻き取ることが容易になる。特に、本実施形態では、畦シートＳに対し、上流側に向けて張力を付与できるローラ３，３を採用しているため、畦シートＳを締めながら巻き取ることができ、さらに、ローラ３，３によって畦シートＳに付与する張力を変化させることで、畦シートＳを締める力の調整も可能になる。
【００４６】
次に、図１および図２に示す、巻取装置１０の変形例について説明する。以下に説明する変形例においては、図１および図２に示す実施形態との相違点を中心に説明する。
【００４７】
図３は、図１および図２に示す、巻取装置の第１変形例について、図２（ａ）と対応した様子を示す図である。従って、図３でも、図の左右方向が幅方向に相当し、左側が一方側になり、右側が他方側になる。なお、図３では、図２（ａ）と異なり、動力部４の側板４１１を取り付けた様子を示している。
【００４８】
図３の矢印で示すように、第１変形例の巻取装置１１は、規制板５２が、巻取芯５１の延在方向における他方側にスライド可能なものである。このため、規制板５２を他方側にスライドさせることで、図３では一点鎖線で示す畦シートロールＳ’を、二点鎖線で示すように他方側にスライドさせ、巻取芯５１からの畦シートロールＳ’の取り外し作業を容易にすることができる。ここで、ロール状の状態が崩れないように畦シートＳを締める力を強くした場合には、巻取芯５１から畦シートロールＳ’を取り外すことが困難になる場合がある。第１変形例の巻取装置１１は、このように巻取芯５１から畦シートロールＳ’を取り外しにくい場合に効果的な態様となる。
【００４９】
図４は、図１および図２に示す、巻取装置１０の第２変形例について、畦シートロールＳ’を取り外す様子を示す図である。図４でも、図の左右方向が幅方向に相当するが、動力部４の大部分とフレーム２の一部を省略し、巻取部５を中心に示している。また、図４では、図面を簡略するため、ローラ３は省略している。
【００５０】
図４（ａ）に示すように、第２変形例の巻取装置１２は、第２規制板５３とアーム５４とを備えている。第２規制板５３は、巻取芯５１の延在方向における他方側部分に着脱可能に設けられたものであり、規制板５２とともに、巻取芯５１に巻き取る畦シートＳを挟み込み、畦シートＳが幅方向にずれ動かないようにするものである。アーム５４は、規制板５２よりも一方側に配置され、下端部分に設けられた軸部５４１を回動中心にして上端部分を他方側に向けて回動させることができる。
【００５１】
第２変形例の巻取装置１２において、巻取芯５１に巻き取った畦シートロールＳ’を取り外すには、まず第２規制板５３を巻取芯５１から取り外し、次いで、図４（ｂ）に示すようにアーム５４を他方側に回動させる。こうすることで、規制板５２が他方側にスライドし、これに伴い畦シートロールＳ’も他方側にスライドするため、巻取芯５１からの畦シートロールＳ’の取り外し作業を容易にすることができる。この第２変形例の巻取装置１２によれば、第１変形例の巻取装置１１に比べ、畦シートロールＳ’を他方側にスライドさせる作業をより容易に行うことができる。なお、アームの構成は本実施形態に限られるものではなく、てこの作用による少ない力で規制板５２を他方側にスライドさせる構成のものを適宜採用することができる。
【００５２】
次に、本発明の巻取装置の第２実施形態について説明する。これより後の説明では、これまで説明した構成要素の名称と同じ名称の構成要素には、これまで用いた符号を付して説明し、重複する説明は省略することがある。
【００５３】
図５（ａ）は、第２実施形態の巻取装置１３を正面から見た図であり、同図（ｂ）は、同図（ａ）の平面図である。ずなわち、図５（ａ）は、図１（ａ）に対応した図であり、図５（ｂ）は、図１（ｂ）に対応した図である。このため、図５（ａ）および同図（ｂ）においても、畦シートＳが左から右に移動して巻取部５に巻き取られ、左側が上流側になり、右側が下流側になる。また、図５（ｂ）でも、図１（ｂ）と同様に、上側が一方側に相当し、下側が他方側に相当する。
【００５４】
図５（ａ）および同図（ｂ）に示すように、第２実施形態の巻取装置１３は、上流おもて側ローラ３１と下流おもて側ローラ３２との間に、洗浄部６と裏側ローラ３３が設けられている。これにより、上流側から下流側にかけて、上流おもて側ローラ３１、洗浄部６、裏側ローラ３３および下流おもて側ローラ３２が記載順に配置されている。図５（ａ）に示すように、巻取装置１３の、上流おもて側ローラ３１と下流おもて側ローラ３２は、図１（ａ）に示す巻取装置１０の、上流おもて側ローラ３１と下流おもて側ローラ３２と比べて高い位置に配置されている。また、高さ方向において、これら上流おもて側ローラ３１および下流おもて側ローラ３２と、フレーム２との間に、裏側ローラ３３が配置されている。これにより、畦シートＳの未巻回部分は、裏面側を裏側ローラ３３に支持されている。また、この裏側ローラ３３に支持された箇所の上流側が、おもて側から上流おもて側ローラ３１で規制されるとともに、裏側ローラ３３に支持された箇所の下流側が、おもて側から下流おもて側ローラ３２で規制されている。裏側ローラ３３は、畦シートＳの未巻回部分が裏面側に外れることを規制するものであり、裏側規制部材の一例に相当する。
【００５５】
なお、これらローラ３の配置位置や個数は特に限定されるものではなく、おもて側ローラ３を１つにしてもよいし、裏側ローラ３を複数設けてもよい。ただし、畦シートＳを巻取部５にスムーズに巻き取らせるためには、最も下流側におもて側ローラ３を配置し、巻取部５に巻き取られる直前に、おもて側から畦シートＳの暴れを抑える態様が好ましい。また、おもて側ローラ３と裏側ローラ３とを上下方向に並べ、おもて側ローラ３と裏側ローラ３とによって畦シートＳを挟み込む態様としてもよいが、第２実施形態の巻取装置１３のように、おもて側ローラ３と裏側ローラ３とを、長手方向におけるずれた位置に配置することで、波板状の畦シートＳであってもスムーズに移動させることができる。
【００５６】
洗浄部６は、洗浄液を高圧で吐出することによって畦シートＳに付着している泥土を除去するものである。この洗浄部６によって泥土を除去しながら畦シートＳを巻き取ることで、泥土を除去した畦シートロールＳ’とすることができる。図５（ａ）に示すように、洗浄部６は、畦シートＳのおもて側に配置されたおもて側ノズル６１と、畦シートＳの裏側に配置された裏側ノズル６２とを備えている。本実施形態では、洗浄液として水道水を用いており、洗浄部６は、不図示の給水管から供給された水道水をポンプ等によって加圧し、おもて側ノズル６１と裏側ノズル６２から高圧で吐出するものである。具体的には、おもて側ノズル６１から、畦シートＳのおもて面における幅方向の略中央部分に洗浄水を吐出し、裏側ノズル６２から、畦シートＳの裏面における幅方向の略中央部分に洗浄水を吐出する。これらおもて側ノズル６１と裏側ノズル６２から洗浄水が吐出される領域が吐出領域の一例に相当する。また、おもて側ノズル６１と裏側ノズル６２からは、一方側から他方側に斜めを向いた方向に洗浄水を吐出している。これにより、例えば、畦シートＳの地中に埋設されていた部分（例えば、数ｃｍから幅方向の長さの半分程度）が他方側に位置するように畦シートＳを巻取芯５１に取り付ければ、地中に埋設されて泥土が付着した部分を効率的に洗浄することができる。なお、図５（ａ）に示すように（図５（ｂ）では省略）、本実施形態では、洗浄に伴う泥水の飛散を防止するため、洗浄部６を覆うように飛沫防止フード７が設けられている。
【００５７】
おもて側ノズル６１と裏側ノズル６２からは、畦シートＳの幅方向に対して交わる方向に洗浄水を吐出してもよい。ただし、波板状の畦シートＳを用いる場合には、図５（ａ）および同図（ｂ）に示すように、畦シートＳの幅方向に沿った方向に洗浄水を吐出する態様とすれば、畦シートＳの波形の形状にそって泥土を流すことができより好ましい。
【００５８】
ここで、洗浄部６を配置する位置は特に限定されるものではなく、複数のローラ３よりも上流側であってもよいし、畦シートＳが巻取部５に巻き取られる直前であってもよい。また、畦シートＳが巻取部５に巻き取られる部分に洗浄水を吐出する態様を採用してもよい。ただし、本実施形態のように、上流おもて側ローラ３１と裏側ローラ３３との間に洗浄部６を配置する態様とすれば、畦シートＳにおける、洗浄水が吐出される部分が安定し、より効率的に洗浄することが可能になる。
【００５９】
図６（ａ）は、おもて側ノズル６１、裏側ノズル６２、下流おもて側ローラ３２および裏側ローラ３３の好ましい態様を概念的に示す図である。図６（ａ）では、図５（ａ）の巻取装置１３を左側から見ており、図６（ａ）では、左側が一方側になり、右側が他方側になる。
【００６０】
図６（ａ）に示すように、下流おもて側ローラ３２および裏側ローラ３３は、他方側に向かうにしたがい下方を向くように傾斜した姿勢で設けられており、これにより畦シートＳは、幅方向全域にわたって他方側に向かうにしたがい下方に傾斜している。すなわち、下流おもて側ローラ３２および裏側ローラ３３は、傾斜部材の一例に相当する。畦シートＳが幅方向全域にわたって傾斜した状態で、おもて側ノズル６１から水を吐出すれば、付着した泥土を効率的に洗い流すことができ、また、吐出した水も流れ落ちやすくなる。なお、下流おもて側ローラ３２および裏側ローラ３３のうち、いずれか一方のみを傾斜させてもよく、ローラ３以外の構成の傾斜部材を用いて畦シートＳを傾斜させてもよい。なお、特に畦シートＳの裏面は、洗浄水が吐出される範囲が狭くなりやすいため、複数の裏側ノズル６２を設け、洗浄水が吐出される範囲を確保するように構成してもよい。
【００６１】
図６（ｂ）は、吐出領域を説明するための畦シートの部分平面図である。図６（ａ）では、畦シートＳのおもて面の一部を示しており、左側が一方側になり、右側が他方側になる。すなわち、図６（ｂ）に示す畦シートＳは、下から上に移動し、上側が下流側になる。
【００６２】
図６（ｂ）に示す畦シートＳにおいて左下がりのハッチングで示している部分が、埋設されていた部分であって、この部分に泥土が付着している。この泥土が付着した部分を効率的に洗浄するには、図６（ｂ）に示す畦シートＳにおいてクロスハッチングで示す領域、すなわち畦シートＳの幅方向の中央部分であって、具体的には、泥土が付着した部分のうち一方側の端部部分や、泥土が付着した部分のうち一方側の端部よりもやや一方側の部分に向けて洗浄水を吐出することが好ましい。すなわち、クロスハッチングで示す領域が吐出領域の一例に相当する。ここで、泥土が付着した部分は、巻き取る畦シートＳによって様々であるが、本実施形態のおもて側ノズル６１および裏側ノズル６２は、その吐出領域を変更することができ、泥土が付着した部分に応じて吐出領域を調整すればよい。
【００６３】
以上説明した巻取装置１０，１１，１２，１３によれば、作業の労力を大幅に軽減することができる。
【００６４】
本発明は前述の実施の形態に限られることなく特許請求の範囲に記載した範囲で種々の変更を行うことができる。例えば、上記実施形態では、巻取芯５１を、水平方向に延在した回転中心を中心に回転する態様としているが、巻取芯５１を、水平方向から斜めに傾いた方向に延在した回転中心、あるいは垂直方向に延在した回転中心を中心に回転する態様としてもよい。さらに、上記実施形態では、スイッチ４４を操作することで電動モータ４２の駆動を停止する態様を採用しているが、例えば、下流おもて側ローラ３２等にセンサを設け、このセンサによって畦シートＳの巻き取りが完了したことを検知すると電動モータ４２の駆動を停止させる制御手段を設けてもよいし、タイマを設け、電動モータ４２の駆動を開始してから所定時間経過すると電動モータ４２の駆動を停止する制御手段を設けてもよい。
【００６５】
なお、以上説明した各変形例や他の実施形態の記載それぞれにのみ含まれている構成要件であっても、その構成要件を他の変形例や他の実施形態に適用してもよい。
【符号の説明】
【００６６】
１０，１１，１２，１３    巻取装置
３    ローラ
３１    上流おもて側ローラ
３２    下流おもて側ローラ
３３    裏側ローラ
４    動力部
４２    電動モータ
５    巻取部
５１    巻取芯
５１１    丸棒
５１２    補助丸棒
５２    規制板
５３    第２規制板
６    洗浄部
６１    おもて側ノズル
６２    裏側ノズル
Ｓ    畦シート
Ｓ’    畦シートロール
【図１】
0006664928.tif 000002
【図２】
0006664928.tif 000003
【図３】
0006664928.tif 000004
【図４】
0006664928.tif 000005
【図５】
0006664928.tif 000006
【図６】
0006664928.tif 000007